(57)【特許請求の範囲】
【請求項１】
回転駆動源と、回転駆動源の出力軸による回転力を伝達する駆動軸と、駆動軸により回転駆動されるとともに軸方向に可動とされたハンマーと、ハンマーと噛合し得るアンビルと、ハンマーをアンビル側に向けて付勢する付勢ばねと、駆動軸を回転自在に支持するとともに軸方向に沿って離間した状態で回転駆動源の出力軸側端面に設けられた先端突起を嵌合することにより回転駆動源を半径方向に位置決めする位置決め部材とを備え、回転駆動源と位置決め部材とが対向する領域を空隙としたことを特徴とするインパクト工具。
【請求項２】
前記回転駆動源をハウジング内に収容するものであって、軸方向に沿った弾性を有する位置決め用弾性部材により、軸方向に沿って前記回転駆動源をハウジング内に位置決めした請求項１に記載のインパクト工具。
【発明の詳細な説明】
【０００１】
【発明の属する技術分野】
本発明は、ネジ・ボルト等の締め付け又は緩めを行うインパクト工具に関する。
【０００２】
【従来の技術】
従来、この種のインパクト工具として図４に示すものが存在する。このものは、モータ１０１（回転駆動源）１０１、モータ１０１による回転力を伝達する駆動軸１０２、駆動軸１０２により回転駆動されるとともに軸方向に可動とされたハンマー１０３、ハンマー１０３と噛合し得るアンビル１０４、ハンマー１０３をアンビル１０４側に向けて付勢する付勢ばね１０５、モータ１０１とねじ止固定され軸受１０６を介して駆動軸１０２に連結された連結部材１０７、モータ１０１を軸方向及び半径方向に位置決めした状態で収容するハウジング１０８を備えている。
【０００３】
このものは、駆動軸１０２により伝達された回転力により、ネジ・ボルト等の締め付けを行う場合、負荷が大きくなってくると、ハンマー１０３とアンビル１０４との噛合部分において、ハンマー１０３を後退させる分力が発生し、ハンマー１０３とアンビル１０４との噛合が外れる。このハンマー１０３は、モータ１０１による回転エネルギーが伝達されるとともに、付勢ばね１０５の付勢力により付勢されて、回転しつつ、前後に移動して、アンビル１０４を打撃することになる。この打撃における回転方向の衝撃によって、効率的にネジ・ボルト等が締め付けられるようになる。
【０００４】
【発明が解決しようとする課題】
上記した従来のインパクト工具にあっては、ハンマー１０３が前後に移動して、アンビルを打撃するために、アンビル１０４及びハンマー１０３を含みそれらの周辺部よりなる駆動ブロックが振動し、この振動が付勢ばね１０５等を介して、連結部材１０７に伝達されてしまうと、連結部材１０７とねじ止め固定されたモータ１０１にまで振動が伝達される恐れがある。このようにして、モータ１０１に振動が伝達さると、モータ１０１の寿命に悪影響を及ぼすことも考えられる。
【０００５】
本発明は、上記の点に着目してなされたもので、その目的とするところは、モータに振動が伝達され難いインパクト工具を提供することにある。
【０００６】
【課題を解決するための手段】
上記した課題を解決するために、請求項１記載のインパクト工具は、回転駆動源と、回転駆動源の出力軸による回転力を伝達する駆動軸と、駆動軸により回転駆動されるとともに軸方向に可動とされたハンマーと、ハンマーと噛合し得るアンビルと、ハンマーをアンビル側に向けて付勢する付勢ばねと、駆動軸を回転自在に支持するとともに軸方向に沿って離間した状態で回転駆動源の出力軸側端面に設けられた先端突起を嵌合することにより回転駆動源を半径方向に位置決めする位置決め部材とを備え、回転駆動源と位置決め部材とが対向する領域を空隙とした構成にしている。
【０００８】
請求項２記載のインパクト工具は、請求項１に記載のインパクト工具において、前記回転駆動源をハウジング内に収容するものであって、軸方向に沿った弾性を有する位置決め用弾性部材により、軸方向に沿って前記回転駆動源をハウジング内に位置決めした構成にしている。
【０００９】
【発明の実施の形態】
本発明の第１実施形態を図１に基づいて以下に説明する。このインパクト工具は、後述するビットホルダー１７にドライバービットを装着するインパクトドライバーである。
【００１０】
１はハウジングで、そのグリップ部１ａの下端に、電源となる電池パック（図示せず）が装着され、グリップ部１ａの前面側には、トリガースイッチ１ｂが設けられている。このハウジング１は、内部にモータ（回転駆動源）２を収容し、内面に周回して設けられた凸条型の半径方向位置決め部１ｃにより、半径方向の位置決めをするとともに、軸方向位置決め部（図示せず）により、軸方向の位置決めをしている。このモータ２の出力軸２ａには、ピニオン３が圧入固定されている。また、モータ２は、軸方向一端部に先端突起２ｂを有している。
【００１１】
４は駆動軸で、軸受５により後端側が支持されるとともに、後述するアンビル１５により先端側が支持されている。この駆動軸４の後端側のキャリア部４ａには、前述したピニオン３に噛合する遊星ギア６が複数個取り付けられている。この遊星ギア６には、後述する位置決め部材８に一体に形成されたインターナルギア７にも噛合していることから、駆動軸４は、モータ２の出力軸２ａが回転するとき、ピニオン３、遊星ギア６、インターナルギア７及びキャリア部４ａにより構成される遊星機構による減速を受けて回転し、モータ２による回転力を伝達する。また、この駆動軸４は、その外周面にＶ字状のカム溝４ｂが設けられている。
【００１２】
８は位置決め部材で、軸受５を介して駆動軸４を回転自在に支持するとともに、軸方向に沿って離間した状態で、モータ２の先端突起２ｂを嵌合して、モータ２のその先端突起２ｂを半径方向に沿って位置決めする。この位置決め部材８を適宜位置調整することにより、駆動軸４及びモータ２の出力軸２ａのそれぞれの中心軸を一致させることができる。
【００１３】
９はハンマーで、環状をなし、軸方向及び回転方向に移動自在の状態で、駆動軸４の外周に配設されている。このハンマー９は、その前面に後述するアンビル１５の後端面と噛合する爪部９ａを有し、内周部に軸方向の溝９ｂが設けられている。このハンマー９は、その溝９ｂと駆動軸４のカム溝４ｂとに係合するよう配設された鋼球１１を介して、駆動軸４と一体に回転する。
【００１４】
１０は付勢ばねで、コイル状であって、その一端がスラスト板１２を介してハンマー９の背面に接するとともに、他端がスラスト板１３を介して、遊星ギア６の歯車軸１４に支持されることにより、ハンマー９を前方、すなわち後述するアンビル１５側へ付勢する。
【００１５】
１５はアンビルで、軸受１６により回転自在に支持され、先端面には前述したビットホルダー１７を有し、後端面にはハンマー９の爪部９ａが噛合する爪部１５ａが設けられている。
【００１６】
このインパクト工具は、モータ２の出力軸２ａが回転することにより、駆動軸４が回転すると、駆動軸４の回転力が鋼球１１を介してハンマー９に伝達される。一方、ハンマー９は、付勢ばね１０による付勢力によって、アンビル１５と噛合した状態となっているため、ハンマー９の回転がアンビル１５を介してドライバービットに伝達される。
【００１７】
かかる場合、ドライバービットによるビスの締め付け作業等を行っているとき、負荷が大きくなってくると、ハンマー９とアンビル１５との噛合部分において、ハンマー９を後退させる分力が発生するために、ハンマー９は、駆動軸４のカム溝４ｂに沿って、駆動軸４に対して回転しながら後退する。それにより、ハンマー９は、アンビル１５との噛合が外れ、モータ２による回転エネルギー及び付勢ばね１０の付勢力によって、アンビル１５を打撃するようになる。この打撃における回転方向の衝撃が、ドライバービットに加えられる。
【００１８】
かかるインパクト工具にあっては、位置決め部材８がモータ２とは軸方向に沿って離間しているから、ハンマー９がアンビル１５を打撃することによる振動が、位置決め部材８に伝達された場合でも、モータ２に伝達され難くなる。
【００１９】
参考までに、図２で示した参考例は、モータ２と位置決め部材８との間にゴム等の弾性部材１８を配設したものであり、図４で示した従来例と同様に、モータ２と位置決め部材８との間に空隙を形成しないものである。
【００２１】
次に、本発明の第２実施形態を図３に基づいて以下に説明する。なお、第１実施形態と同一の部材には同一の符号を付し、第１実施形態と異なるところのみ記す。本実施形態は、基本的には第２実施形態と同様であるが、モータ２の軸方向他端部とハウジング１の内面との間に、軸方向に沿った弾性を有するゴム等の位置決め用弾性部材１９を配設することによって、軸方向に沿った弾性を有する位置決め用弾性部材１９により、軸方向に沿ってモータ２をハウジング１内に位置決めした構成にしている。なお、位置決め用弾性部材１９は、スプリングでもよい。
【００２２】
かかるインパクト工具にあっては、ハウジング１を介して伝達された振動が、軸方向に沿った弾性を有する位置決め用弾性部材１９により緩和されるから、モータ２に振動が伝達され難くなるという効果を、さらに奏することができる。
【００２４】
【発明の効果】
請求項１記載のインパクト工具は、位置決め部材が回転駆動源とは軸方向に沿って離間しているから、ハンマーがアンビルを打撃することによる振動が、位置決め部材に伝達された場合でも、回転駆動源に伝達され難くなる。
【００２６】
請求項２記載のインパクト工具は、ハウジングを介して伝達された振動が、軸方向に沿った弾性を有する位置決め用弾性部材により緩和されるから、回転駆動源に振動が伝達され難くなるという請求項１記載のインパクト工具の効果を、さらに奏することができる。
【図面の簡単な説明】
【図１】本発明の第１実施形態の部分断面図である。
【図２】  参考例の部分断面図である。
【図３】  本発明の第２実施形態の部分断面図である。
【図４】従来例の部分断面図である。
【符号の説明】
２      モータ１０１（回転駆動源）
４      駆動軸
８      位置決め部材
９      ハンマー
１０    付勢ばね
１５    アンビル
１９    位置決め用弾性部材
【図１】
0003951578.tif 000002
【図２】
0003951578.tif 000003
【図３】
0003951578.tif 000004
【図４】
0003951578.tif 000005